【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  少なくとも１つの電気スイッチング装置（１００）、信号手段（５４−６０）および制御手段（２０１、３０１）を具備するスイッチング装置システムであって、
前記少なくとも１つのスイッチング装置は、少なくとも１つの可動接触部（５）、電気モータ（６）、電気モータから少なくとも１つの可動接触部へ運動を伝達するように構成された連結手段（４１）、およびスイッチング装置を制御するように構成されたローカル制御手段（４３）を具備し、
制御手段（２０１、３０１）は、少なくとも１つのスイッチング装置から少なくとも部分的に離間して配置され、信号手段は少なくとも１つのスイッチング装置から、前記離間して配置された制御手段へ、および／またはその逆へ、信号を送信するように構成され、前記信号は実時間データおよび／またはオフラインデータであることを特徴とするスイッチング装置システム。
【請求項２】  ローカル制御手段（４３）は、モータ制御手段（４２）および／または運動制御手段（６７）を含み、モータ制御手段は電気モータの動作に関するデータを取得するように構成され、運動制御手段は少なくとも１つの可動接触部の運動に関するデータ、および／またはスイッチング装置を接続する電線路の状況に関するデータを取得するように構成されることを特徴とする請求項１に記載のシステム。
【請求項３】  信号手段（５４−６０）は、電線、光ケーブル、電磁波用の送信器／受信器および／またはインターネット接続を含むことを特徴とする請求項１または請求項２に記載のシステム。
【請求項４】  前記離間して位置する制御手段（２０１、３０１）は、第１制御手段（２０１）と第２制御手段（３０１）を具備し、第２制御手段は、前記少なくとも１つのスイッチング装置から、第１制御手段よりも数十倍の距離を置いて位置していることを特徴とする請求項１に記載のシステム。
【請求項５】  信号手段は、第１制御手段（２０１）と少なくとも１つのスイッチング装置との間の信号送信を行うように構成された第１信号手段（２０２）と、第２制御手段（３０１）と少なくとも１つのスイッチング装置との間の信号送信を行うように構成された第２信号手段（３０２）と、第１制御手段と第２制御手段との間の信号送信を行うように構成された第３信号手段（３２０）とを含むことを特徴とする請求項４に記載のシステム。
【請求項６】  前記離間して位置する制御手段（２０１、３０１）の少なくとも一部は、信号手段により電子通信網内の複数のスイッチング装置に接続され、前記通信網は地域的、全国的、または国際的通信網であることを特徴とする請求項１に記載のシステム。
【請求項７】  前記離間して位置する制御手段は、第１制御手段（２０１）と第２制御手段（３０１）を含み、前記第１制御手段（２０１）は信号手段により一の又は一群の電気プラント内の複数のスイッチング装置に接続され、前記第２制御手段（３０１）は前記一部であることを特徴とする請求項６に記載のシステム。
【請求項８】  前記離間して位置する制御手段（２０１、３０１）は、信号手段が受信したデータを格納するように構成されたデータ格納手段（２０４、３０４）を含むことを特徴とする請求項１に記載のシステム。
【請求項９】  前記離間して位置する制御手段（２０１、３０１）は、受信データを処理し、および／または、指示信号用のデータを供給するように構成された中央プロセッサ（２０３，３０３）を具備することを特徴とする請求項１ないし請求項８のいずれか１項に記載のシステム。
【請求項１０】  当該ローカル制御手段（４３）が、前記離間して位置する制御手段（２０１、３０１）から受信した信号の作用を受けるように構成されることを特徴とする請求項１ないし請求項９のいずれか１項に記載のシステム。
【請求項１１】  ローカル制御手段（４３）は、データを受信し、データを処理し、および／またはスイッチング装置に指示を与えるように構成されたローカルプロセッサ（７１）を具備し、前記受信データが、前記離間して位置する制御手段（２０１、３０１）からの信号により受信したデータを含むことを特徴とする請求項１ないし１０のいずれかに記載のシステム。
【請求項１２】  ローカルプロセッサ（７１）が、前記離間して位置する制御手段（２０１、３０１）からプログラムに作用する更新信号を受信するように構成されたコンピュータプログラムを含むことを特徴とする請求項１１に記載のシステム。
【請求項１３】  １スイッチング装置のための前記離間して位置する制御手段（２０１、３０１）は、スイッチング装置システム内に他のスイッチング装置を制御し、スイッチング装置は信号手段により相互接続されることを特徴とする請求項１ないし請求項１２のいずれか１項に記載のシステム。
【請求項１４】  少なくとも１つの可動接触部（５）、電気モータ（６）、および電気モータから少なくとも１つの可動接触部へ運動を伝達するように構成された結合手段（４１）、スイッチング装置を制御するよう構成されたローカル制御手段（４３）を具備するスイッチング装置であって、
スイッチング装置が、信号を、それぞれ前記離間して位置する制御手段（２０１、３０１）から受信および／または該制御手段へ発信するように構成された、信号受信手段（４９）および／または信号発信手段（４９）を含むことを特徴とするスイッチング装置。
【請求項１５】  ローカル制御手段（４３）は、モータ制御手段（４２）および／または運動制御手段（６７）を含み、モータ制御手段は電気モータの動作に関するデータを取得するように構成され、運動制御手段は少なくとも１つの可動接触部の運動に関するデータ、および／またはスイッチング装置が接続される電線路の状態に関するデータを取得するように構成されることを特徴とする請求項１４に記載のスイッチング装置。
【請求項１６】  信号受信手段（４９）および信号発信手段（４９）が電線接続、光ケーブル接続、電磁波の送信器／受信器および／またはインターネット接続を含むことを特徴とする請求項１４または請求項１５に記載のスイッチング装置。
【請求項１７】  ローカル制御手段（４３）は、信号受信手段（４９）が受信した信号の作用を受けるように構成されることを特徴とする請求項１４に記載のスイッチング装置。
【請求項１８】  ローカル制御手段（４３）は、データを受信し、データを処理し、および／またはスイッチング装置に指示を与えるように構成されたローカルプロセッサ（７１）を含み、前記受信データは信号受信手段（４９）により受信されたデータを含むことを特徴とする請求項１７に記載のスイッチング装置。
【請求項１９】  前記ローカルプロセッサ（７１）が信号受信手段（４９）により受信したプログラムに作用する更新信号を受信するように構成したコンピュータプログラムを含むことを特徴とする請求項１８に記載のスイッチング装置。
【請求項２０】  スイッチング装置から離間して位置するように構成されたスイッチング装置制御手段（４３、２０１、３０１）であって、信号を、スイッチング装置から受信するように構成された信号受信手段（４９、２０５、３０５）および／または該スイッチング装置へ信号を発信するように構成された信号発信手段（４９、２０５、３０５）を具備することを特徴とするスイッチング装置制御手段。
【請求項２１】  信号受信手段（４９、２０５、３０５）および信号発信手段（４９、２０５、３０５）は、電線接続、光ケーブル接続、電磁波の送受信器および／またはインターネット接続を含むことを特徴とする請求項２０に記載の制御手段。
【請求項２２】  単一の電気プラント、一群の電気プラント、または、地域的、全国的、あるいは国際的通信網内の複数のスイッチング装置を制御するように構成されることを特徴とする請求項２０または請求項２１に記載の制御手段。
【請求項２３】  信号受信手段（４９、２０５、３０５）が受信したデータを格納するように構成されたデータ格納手段（７０、２０４、３０４）を具備することを特徴とする請求項２０に記載の制御手段。
【請求項２４】  受信データを処理し、および／またはデータを信号発信手段（４９、２０５、３０５）に供給するように構成されたプロセッサ（７１、２０３、３０３）を具備することを特徴とする請求項２０ないし請求項２３のいずれか１項に記載の制御手段。
【請求項２５】  少なくとも１つのスイッチング装置を制御するための方法であって、該少なくとも１つのスイッチング装置（１００）は、少なくとも１つの可動接触部（５）、電気モータ（６）、および電気モータから少なくとも１つの可動接触部へ運動を伝達するように構成された連結手段（４１）、スイッチング装置を制御するように構成されたローカル制御装置（４３）を含み、
少なくとも１つのスイッチング装置の制御は、少なくとも１つのスイッチング装置から、離間して位置する制御手段（２０１、３０１）へ、および／または離間して位置する制御手段（２０１、３０１）からスイッチング装置へ、信号が受信および／または送信されることを含むことを特徴とする方法。
【請求項２６】  電気モータの動作に関するデータ、スイッチング装置が接続される電線路の状況に関するデータ、および／または少なくとも１つの可動接触部の運動に関するデータが獲得されることを特徴とする請求項２５に記載の方法。
【請求項２７】  電線、光ケーブル、電磁波、および／またはインターネットを介して信号を送ることを特徴とする請求項２５または請求項２６に記載の方法。
【請求項２８】  第１制御手段（２０１）から第２制御手段（３０１）へ、かつ、第２制御手段（３０１）から第１制御手段（２０１）へ信号を送り、第２制御手段（３０１）を、前記少なくとも１つのスイッチング装置から、第１制御手段（２０１）よりも数十倍の距離を置いて配置することを特徴とする請求項２５または請求項２６に記載の方法。
【請求項２９】  単一の電気プラント、一群の電気プラント、または、地域的、全国的、あるいは国際的通信網内の複数のスイッチング装置を制御するために適用されることを特徴とする請求項２５に記載の方法。
【請求項３０】  離間して位置する制御手段（２０１、３０１）が少なくとも１つのスイッチング装置から受信したデータを、離間して位置する制御手段（２０１、３０１）に格納することを特徴とする請求項２５に記載の方法。
【請求項３１】  離間して位置する制御手段（２０１、３０１）が少なくとも１つのスイッチング装置から受信したデータを、離間して位置する制御手段（２０１、３０１）内で処理すること、および／または少なくとも１つのスイッチング装置に指示信号を供給するためのデータは、前記離間して位置する制御手段（２０１、３０１）内で処理することを特徴とする請求項３０に記載の方法。
【請求項３２】  ローカル制御手段（４３）に作用する信号を少なくとも１つのスイッチング装置内のローカル制御手段（４３）に送ることを特徴とする請求項２５に記載の方法。
【請求項３３】  ローカル制御手段（４３）内のローカルプロセッサ（７１）へ信号を送り、該ローカルプロセッサがデータを受信し、データを処理し、および／またはスイッチング装置に指示を与えることを特徴とする請求項３２に記載の方法。
【請求項３４】  前記離間して位置する制御手段（２０１、３０１）からプログラムに作用する更新信号を受信するコンピュータプログラムから、ローカルプロセッサ（７１）が指示を受信することを特徴とする請求項３３に記載の方法。
【請求項３５】  少なくとも１つのスイッチング装置を含む電力網の使用者または所有者にサービスを提供する方法であって、該スイッチング装置は、少なくとも１つの可動接触部（５）、電気モータ（６）、および電気モータから少なくとも１つの可動接触部へ運動を伝達するように構成された結合手段（４１）、スイッチング装置を制御するように構成されたローカル制御手段（４３）を備え、
サービスが、少なくとも１つのスイッチング装置から離間して位置する制御手段（２０１、３０１）とスイッチング装置との間で信号を送受信することにより、少なくとも１つのスイッチング装置を制御することを含むことを特徴とする方法。
【請求項３６】  条件に応じてサービスを使用者／所有者に提供することと、スイッチング装置を識別するデータおよびスイッチング装置が所定の条件に合致するかどうかを示すデータを前記離間して位置する制御手段（２０１、３０１）に供給することと、前記離間して位置する制御手段（２０１、３０１）は前記供給データに応じて前記特定のスイッチング装置を制御することとを特徴とする請求項３５に記載の方法。
【請求項３７】  前記スイッチング装置の制御を、前記供給データに応じたサービスレベルで行うことを特徴とする請求項３６に記載の方法。
【請求項３８】  前記レベルは完全なサービスおよびサービスゼロを含むことを特徴とする請求項３７に記載の方法。
【請求項３９】  前記データには使用者／所有者がサービスの資格を有しているかどうかに関する情報を含むことを特徴とする請求項３６ないし請求項３８のいずれか１項に記載の方法。
【請求項４０】  スイッチング装置に関するサービスデータを前記離間して位置する制御手段（２０１、３０１）に供給し、該サービスデータには：
−  離間して位置する制御手段（２０１、３０１）からの制御の継続時間および／またはサービスレベル
−  スイッチング装置の型およびサイズ
−  受信および／または送信信号の量
−  遮断動作の量
に関するデータのうちの１つまたはそれらのあらゆる組み合わせを含むことを特徴とする請求項３９に記載の方法。
【請求項４１】  前記サービスデータを、前記離間して位置する制御手段（２０１、３０１）のプロセッサ（２０３、３０３）によりアクセス可能な格納手段（２０４、３０４）に格納し、該プロセッサにより処理して使用者／所有者への請求に使用する情報を供給することを特徴とする請求項４０に記載の方法。
【請求項４２】  請求項１１に記載のシステム内のローカルプロセッサ（７１）、請求項１８に記載の装置内のプロセッサ（７１）、または請求項３３に記載の方法を実行するためのプロセッサ（７１）への指示を含むことを特徴とするコンピュータプログラム。
【請求項４３】  請求項４２に記載のコンピュータプログラムを記録したコンピュータで読み取り可能な媒体。
【請求項４４】  請求項９に記載のシステム内の中央プロセッサ（２０３、３０３）、請求項２４に記載のスイッチング装置制御手段内のプロセッサ（７１、２０３、３０３）、請求項３１に記載の方法を実行するためのプロセッサ（２０３、３０３）、または請求項４１に記載の方法を実行するためのプロセッサ（２０３、３０３）への指示を含むことを特徴とするコンピュータプログラム。
【請求項４５】  請求項４４に記載のコンピュータプログラムを記録したコンピュータで読み取り可能な媒体。
【請求項４６】  請求項１ないし請求項１３のいずれか一項に記載のスイッチング装置システムを含むことを特徴とする電力網。
【請求項４７】  請求項１４ないし請求項１９のいずれか一項に記載のスイッチング装置を少なくとも１つ含むことを特徴とする電力網。